(57)【要約】      （修正有）【課題】組立てが簡単で精密に組み立て可能とした安全注射器を提供する。【解決手段】係合ベース２のプラスチック製のスリーブ部品２１の下端外周側も、ゴム製の封止部品２２の外周面によって覆われており、前記係合ベース２が注射筒１の収束部１２に嵌合した時、弾性変形可能のゴム製の封止部品２２により、プラスチック製のスリーブ部品２１とゴム製の封止部品２１とが液密に結合され、これにより、一般の金型による射出成型のプラスチックのスリーブ部品２１と貫通孔１２１とが緊密に結合できない従来の加工上の問題点を解消できる。また、ゴム製の封止部品２２は、射出成型による外側面に突隆状の係止部２２４が形成され、該係止部２２４は、従来の周知の液漏れ防止用Ｏリングの機能を有し、Ｏリングと封止部品２２とが一体的に射出成型により成型されるので、組立工程における人的なバラツキ等による不具合を確実に防止できる。【選択図】図１
0003120890.tif 000002
【実用新案登録請求の範囲】
【請求項１】
中空の筒体からなり、先端に前記筒体の開口内径より小さい内径の貫通孔が形成された収束部を有し、該収束部後方に液装填用の収納室を設けた注射筒と、前記収束部内の空間部に装填される係合ベースと、該係合ベースの先端に装着される注射針と、前記注射筒の後端開口より挿入される押圧棒を備えた安全注射器であって、
前記係合ベースは、内部中央に貫通孔を有するスリーブ部品と、該スリーブ部品の後端部を覆うように一体成型により射出成形されたゴム製の封止部品とからなり、前記スリーブ部品の先端部は前記収束部の空間部に係合され、且つ後端部は環状側壁に形成した上部開口の環状溝を有する封止部品に装着されると共に、前記環状側壁の底部には中央開口側に突出する係合部が設けられており、且つ前記環状側壁の上部外周面には突隆状の係止部が形成されており、
前記注射針は、針ベース先端部に装着された針体とによって形成され、前記針ベースの後端部が前記スリーブ部品の先端に結合されるようになっており、
前記押圧棒は、先端部に前記注射筒内に挿入されて液密状態を保ち摺動するピストン部が形成されると共に、該ピストン部の先端には前記係合部に係合するためのほぞが設けられていることを特徴とする安全注射器。
【請求項２】
前記スリーブ部品は、硬質のプラスチック製の材料で成形され、先端部中央に突出柱を有し、該突出柱と先端部の内壁面間に前記針ベースが嵌合されるための凹み嵌合部が形成され、前記突出柱の軸方向には前記スリーブ部品の後端部と連通する連通孔が形成されてなり、前記スリーブ部品の後端部に設けられた前記封止部品の突隆状の係止部が前記収束部内の空間部内壁面に形成された段差部に接合するようになっていることを特徴とする請求項１に記載の安全注射器。
【請求項３】
前記封止部品の環状側壁の底部に形成した係合部は、底部内面及び開口軸線が前記スリーブ部品の軸線方向に対し傾斜して形成されていることを特徴とする請求項１又は２に記載の安全注射器。
【考案の詳細な説明】
【技術分野】
【０００１】
本考案は、安全注射器に関し、特に、組立てが簡単で精密な組み立てを可能とした安全注射器の係合ベースの改良に関する。
【背景技術】
【０００２】
従来の安全注射器は、注射器の係合ベース単元構造をより簡単にして、組立てが容易で、そして、加工工程を低減するために、係合ベース単元が、スリーブ部品と封止部品にからなっている。当該スリーブ部品には、硬質のプラスチックの外嵌合体と、当該外嵌合体の内部に嵌合されるゴム材質である内嵌合体とがあり、内嵌合体の内側に形成される内部へ突出して伸ばす係合部により、押圧棒の先端のほぞが推し込まれると、係止結合関係が形成され、上記の内、外嵌合体からなるスリーブ部品と封止部品とにより、簡単な構造設計で、押圧棒と係合ベース単元とが互いに係止結合され、これにより、注射針が注射筒の内部へ引き戻されると、不良業者が其れを回収して再利用することを防止できるようになっている。
【０００３】
上記の従来の注射器の係合ベース単元は、プラスチックである外嵌合体と、ゴムである内嵌合体とにより、簡単な構造設計で、生産や組立てが容易で、加工工程を低減できる利点があるが、次の欠点がある。
１．結合性が悪い。直接に覆うように射出されるプラスチックの外嵌合体とゴム内嵌合体とを採用することは、プラスチックとゴムの弾性係数が異なるため、射出により覆うことは結合安定性が悪いし、また、内嵌合体において、内側と下端が、外嵌合体を覆うように結合するため、内外嵌合体の間の結合安定性がより不足する。
２．密合性が悪い。上記の説明のように、内嵌合体が、内側により外嵌合体と結合するため、結合安定性が不足で、また、針体を強い力で内嵌合体の係合部を通すと、結合性が不足である内嵌合体が内部に縮み、これにより、内外嵌合体が結合される底部において、微細の隙間が生成し、注射過程において、薬液の漏出の要因になる。
３．組立てが簡単ではない。上記の従来のものは、当該外嵌合体が一般にＰＰ材質からなるため、外嵌合体が、同じＰＰ材質である針筒に組み立てる時、両者の間において、より良い精度でないと、緊密的に結合できない。そのため、金型のコストが高くなり、また、収率の向上が難しい。
【０００４】
全体から言うと、従来の、プラスチック製であるスリーブ部品とゴム材からなる内嵌合体とからなる係合ベースの空間設計は、改善すべきところがあり、また、ゴム材質とプラスチック材質との構成による係合ベースにおいて、コスト低減することは、業界にとって重要なことである。
【考案の開示】
【考案が解決しようとする課題】
【０００５】
本考案の主な目的は、プラスチックのスリーブ部品とゴムの封止部品との被覆結合関係をより安定的にする係合ベースと、その係合ベースを有する安全注射器を提供する。
【課題を解決するための手段】
【０００６】
本考案に係る請求項１の安全注射器は、中空の筒体からなり、先端に前記筒体の開口内径より小さい内径の貫通孔が形成された収束部を有し、該収束部後方に液装填用の収納室を設けた注射筒と、前記収束部内の空間部に装填される係合ベースと、該係合ベースの先端に装着される注射針と、前記注射筒の後端開口より挿入される押圧棒を備えた安全注射器であって、前記係合ベースは、内部中央に貫通孔を有するスリーブ部品と、該スリーブ部品の後端部を覆うように一体成型により射出成形されたゴム製の封止部品とからなり、前記スリーブ部品の先端部は前記収束部の空間部に係合され、且つ後端部は環状側壁に形成した上部開口の環状溝を有する封止部品に装着されると共に、前記環状側壁の底部には中央開口側に突出する係合部が設けられており、且つ前記環状側壁の上部外周面には突隆状の係止部が形成されており、前記注射針は、針ベース先端部に装着された針体によって形成され、前記針ベースの後端部が前記スリーブ部品の先端に結合されるようになっており、前記押圧棒は、先端部に前記注射筒内に挿入されて液密状態を保ち摺動するピストンが形成されると共に、該ピストンの先端には前記係合部に係合するためのほぞが設けられていることを特徴とする。
【０００７】
請求項２の考案は、請求項１に記載の安全注射器において、  前記スリーブ部品は、硬質のプラスチック製の材料で成形され、先端部中央に突出柱を有し、該突出柱と先端部の内壁面により前記針ベースが嵌合されるための凹み嵌合部が形成され、前記突出柱の軸方向には前記スリーブ部品の後端部と連通する連通孔が形成されてなり、前記スリーブ部品の後端部に設けられた前記封止部品の突隆状の係止部が前記収束部内の空間部内壁面に形成された段差部に接合するようになっていることを特徴とする。
請求項３の考案は、請求項１又は２に記載の安全注射器において、前記封止部品の環状側壁の底部に形成した係合部は、底部内面及び開口軸線が前記スリーブ部品の軸線方向に対し傾斜して形成されていることを特徴とする。
【考案の効果】
【０００８】
本考案によれば、異なる材料属性を有するプラスチックのスリーブ部品とゴムの封止部品とが、安定的に結合され、前記係合ベース２のプラスチック製のスリーブ部品２１の下端外周側も、ゴム製の封止部品２２の外周面によって覆われており、前記係合ベース２が注射筒１の収束部１２に嵌合した時、弾性変形可能のゴム製の封止部品２２により、プラスチック製のスリーブ部品２１とゴム製の封止部品２１とが液密に結合され、これにより、一般の金型による射出成型のプラスチックのスリーブ部品２１と貫通孔１２１とが緊密に結合できない従来の加工上の問題点を解消できる。
また、前記スリーブ部品の外側に直接に一体成型によりゴム材が覆われているため、スリーブ部品を注射筒に組み立てた時、精度に対する要求が低下されても、ゴム材の塑性により緊密に結合できる状態を確保することが出来ると共に、製品の歩留まり収率の向上や金型コストの低減が実現される。
【０００９】
また、本考案のゴム製の封止部品２２は、射出成型による外側面に突隆状の係止部２２４が形成され、該係止部２２４は、従来の周知の液漏れ防止用Ｏリングの機能を有し、Ｏリングと封止部品２２とが一体的に射出成型により成型されるので、組立工程における人的なバラツキ等による不具合を確実に防止できる。
更にまた、係合ベース２２が注射筒１内に引き戻されるとき、自動的に、偏移して引き戻されるようにして、注射針３が再度露出することを防止することができる効果を有するものである。
【考案を実施するための最良の形態】
【００１０】
以下、本考案の安全注射器について、本考案を実施するための最良の形態について図面をもとに詳細に説明する。
【実施例】
【００１１】
本考案の安全注射器は、図１に示すように、注射筒１と、該注射筒１内に実装される係合ベース２と、該係合ベース２に嵌合連結される注射針３と、前記注射筒１内に挿入され前記注射筒１の内壁面と直線的に摺動する関係を有するように先端部にピストン部４０を有する押圧棒４とを備えている。
【００１２】
前記注射筒１は、中空円筒体からなる注射筒１の内部には液装填用の収納室１１が設けられ、先端部を先細状に形成した収束部１２が形成され、前記収束部１２には前記収納室１１と連通して開口径寸法がより小さい貫通孔１２１が設けられている。また、前記貫通孔１２１と連続する空間部１３が設けられるとともに、前記空間部１３の内壁面には、環状に階段状の段差部１３１が形成されている。
【００１３】
前記係合ベース２は、硬質のプラスチック製の材質で形成されたスリーブ部品２１と封止部品２２とから構成される。前記スリーブ部品２１は、内部先端部の中央において、予め設定された径寸法を有する突出柱２１１が形成され、該突出柱２１１は、軸方向の後端部に口径がより大きい収納空間２１５と連通するチャンネル（連通孔）２１２が形成されている。また、前記突出柱２１１の外周壁面とスリーブ部品２１の内壁面との間には、後述の針ベース３１を収嵌合連結するための凹み嵌合部２１３が構成されている。
【００１４】
また、前記係合ベース２の後端部には封止部品２２が設けられており、弾性を有するゴム材質を射出成型により、直接スリーブ部品２１の後端部を覆うように一体成型されたものである。一体射出成型により形成された前記封止部品２２は環状側壁に形成した上部開口のほぼＵ字状の環状溝２２５が形成されており、この環状溝２２５にスリーブ部品２１の後端部を嵌合固着することで、プラスチック製のスリーブ部品２１とゴム製の封止部品２２との結合が安定的に且つ密着性を持って固着される。
【００１５】
図３によく見られるように、前記封止部品２２の内壁面と底面との連続面には、前記収納空間２１５の中心方向へ向かって突設する係合部２２１が形成されている。前記係合部２２１は、前記押圧棒４のほぞ４１と係合するようになっているため、注射器の使用完了後、逆方向に押圧棒４を引き戻す時、前記係合ベース２を注射筒１の収納室１１の中に引き込むことができる。
また、前記封止部品２２の外側壁面には、前記段差部１３１に対応する突隆状の係止部２２４が形成されており、前記段差部１３１と突隆状の係止部２２４の係合により、本実施例の係合部２２１が構成される。
【００１６】
前記注射針３は、針ベース３１と該針ベース３１の先端部に固定される針体３２とからなり、前記針体３２の外部はカバー３３によって覆われている。そして、前記注射針３は、前記係合ベース２の先端部に形成した凹み嵌合部２１３に嵌合固定される。
【００１７】
前記押圧棒４は、先端部に前記注射筒１内に挿入されて液密状態を保ち摺動するピストン部４０が形成されると共に、該ピストン部４０の先端には前記係合部２２に係合するためのほぞ４１が設けられており、該ほぞ４１が、前記係合部２２１に係合し、使用後の係合ベース２を引き戻すことができる。
【００１８】
以上のように構成された本考案の安全注射器を組み立てる時には、図２、図３に示すように注射針３の針ベース３１を前記スリーブ部品２１の凹み嵌合部２１３に嵌入し、また、前記係合ベース２を、注射筒１の収納室１１の下方に位置する開口から挿入して、前記スリーブ部品２１の先端部を収束部１２の貫通孔１２１に挿入し、且つ前記収束部１２の空間部１１の段差部１３１に、前記スリーブ部品２１の後端部に装着した封止部品２２を緊密に結合する。
前記スリーブ部品２１の後端部は、前記空間部１１の段差部１３１において、一体成型のゴム製の封止部品２２の外側壁面に形成した突隆状の係止部２２４が圧接装着されて、これにより、注射器の使用過程において、収納室１１内の液薬が漏れることが防止できる。そして、前記押圧棒４を収納室１１の開口から押し込むことで完全な注射器の使用前の状態が準備される。
【００１９】
図４と図５に示すように、注射処置の終了後は、前記押圧棒４のほぞ４１が前記係合部２２１に係止されているため、押圧棒４が逆方向に引張られると、注射針３は、注射筒１の収納室１１の内部に引き込まれる。この状態で前記押圧棒４に横方向からの圧力を加えることで容易に押圧棒４を折損することが出来、再使用のできない状態とすることができる。
【００２０】
前記係合ベース２のプラスチック製のスリーブ部品２１は、下端外周側も、ゴム製の封止部品２２の外周面によって覆われ、前記係合ベース２が注射筒１の収束部１２に嵌合する時、弾性変形可能のゴム製の封止部品２２により、プラスチック製のスリーブ部品２１とゴム製の封止部品２１とが液密に結合され、これにより、一般の金型による射出成型のプラスチックのスリーブ部品２１と貫通孔１２１とが緊密に結合できない従来の加工上の問題点を解消できる。
【００２１】
本考案のゴム製の封止部品２２は、射出成型による外側壁面に突隆状の係止部２２４が形成され、該係止部２２４は、従来の周知の漏出防止用Ｏリングの機能を有する。したがって、本考案は、Ｏリングと封止部品２２とが一体的に射出成型により形成されるため、従来のようなＯリングの組立て工程においての人的なバラツキ等を、確実に防止できる。
【００２２】
図６は、本考案に係る係合ベース２の他の実施態様の変形例を示すものであり、この変形例において、上記の実施例と異なるところは、係合ベース２２が注射筒１内に引き戻されるとき、自動的に偏移して引き戻されるようにして、注射針３が再度露出することを防止できるようにしたものである。
【００２３】
変形例によるスリーブ部品２１の後端部を覆うゴム製の封止部品２２は、前記封止部品２２の環状側壁の底部に形成した係合部２２１ａが、底部内面及び開口軸線が前記スリーブ部品２１の軸線方向に対し傾斜して形成されたものであって、内壁面から内部へ対向して伸びる係合部２２１ａが傾斜面を有する構成である。したがって、押圧棒４のほぞ４１が傾斜面となった係合部２２１ａの開口に入り込むと、ほぞ４１が内側面の単一側に対して、外へ推す力を印加し、注射針３が、貫通孔１２１の先端部から引き込まれて注射筒１の収納室１１内に縮むと図７に示すように偏移して収納され、注射針３が再び前記貫通孔１２１から外方に突出するようなことがなくなる。
【図面の簡単な説明】
【００２４】
【図１】本考案の安全注射器の実施例を示す一部断面分解斜視図。
【図２】本考案の安全注射器の実施例を示す組み立て状態の縦断面図。
【図３】図２の一部を拡大して示す要部拡大断面図。
【図４】本考案に安全注射器の実施例を示し、押圧棒が最下端まで押し込まれた状態の断面図。
【図５】本考案に安全注射器の実施例を示し、押圧棒が逆方向に引き戻されて折れた時の断面状態の断面図。
【図６】本考案に安全注射器の変形例を示す縦断面図。
【図７】図６に示す変形例において、押圧棒が逆方向に引き戻されて折れた時の断面図。
【符号の説明】
【００２５】
１            注射筒
１１          収納室
１２          収束部
１２１        貫通孔
１３          空間部
１３２        段差部
２            係合ベース
２１          スリーブ部品
２１１        突出柱
２１２        チャンネル（連通孔）
２１３        凹み嵌合部
２１５        収納空間
２２          封止部品
２２１，２２１ａ  係合部
２２４        突隆状の係止部
３            注射針
３１          針ベース
３２          針体
３３          カバー 
４            押圧棒
４０          ピストン部
４１          ほぞ
【図１】
0003120890.tif 000003
【図２】
0003120890.tif 000004
【図３】
0003120890.tif 000005
【図４】
0003120890.tif 000006
【図５】
0003120890.tif 000007
【図６】
0003120890.tif 000008
【図７】
0003120890.tif 000009